(57)【要約】【課題】  湖沼や海などで釣りをする場合に、岩石や岩礁などの障害物におもりを引っ掛かりにくくすると共に、仮に引っ掛かってしまった場合でも容易に回収することのできる釣り用おもりを提供することにある。【解決手段】  両端に円錐形の先端部３ａ，３ｂを有する細長い円柱体２からなり、円柱体２の先端部３ａ，３ｂには貫通孔４ａ，４ｂが設けられている。円柱体２はその表面が所定の平滑度を有する硬質金属、たとえばステンレスや鉄などからなる。円柱体２の表面の平滑度は切削加工による仕上面と同等又はそれ以上が望ましい。【選択図】  図１
0003173892.tif 000002
【実用新案登録請求の範囲】
【請求項１】
両端に先細形状の先端部を有する細長い棒状体からなり、両端の先端部に貫通孔が設けられていることを特徴とする釣り用おもり。
【請求項２】
前記棒状体が単一部材又は２つ以上に分割された複数の棒状片からなり、複数の棒状片は着脱可能に連結される請求項１に記載の釣り用おもり。
【請求項３】
前記棒状体がステンレス、鉄及び鉄の合金などの硬質金属からなる請求項１に記載の釣り用おもり。
【請求項４】
前記棒状体は、その表面が切削加工による仕上面と同等又はそれ以上の平滑度を有する請求項１に記載の釣り用おもり。
【請求項５】
前記棒状体が円柱体又は多角柱体からなる請求項１に記載の釣り用おもり。
【請求項６】
前記先端部の先細形状が円錐形又は多角錐形である請求項１に記載の釣り用おもり。
【考案の詳細な説明】
【技術分野】
【０００１】
本考案は、釣りに使用するおもりに関し、特に水底に岩石や岩礁などの障害物の多い場所での釣りに有用な釣り用おもりに関する。
【背景技術】
【０００２】
河川や湖沼、又は海などで釣りをする場合に、水底に岩石や岩礁などの障害物が多い所では、これらの障害物におもりが引っ掛かり易く、おもりを回収することが出来なかったり、おもりを障害物から外すのに多くの時間を取られてしまう。従来、この種の問題を解決するための発明が提案されている。例えば、特許文献１には、おもりの前頭部に星形の突起部からなる根掛かり防止用の仕掛けを配置したおもりが開示されており、おもりが岩石や岩礁などの障害物に引っ掛かりそうになると、おもりの前頭部に配置した仕掛けによっておもりの頭部が岩石や岩礁から引き離される。
【０００３】
一方、特許文献２に記載されているおもりは、従来の鉛のおもりに代えて、比較的硬質の金属材料又は合金によって構成された球体形状や円錐体形状、又は紡錘体形状などのおもり本体と、おもり本体に設けた糸挿通孔内に固着させた軟質部材からなる筒状の保護チューブとを備えた構造のものであり、おもりが岩石などに接触しても変形したり削られることがない。
【０００４】
しかしながら、上記特許文献１に記載されたおもりは、根掛かり防止用の仕掛けをおもりとは別に設けるために面倒となる他、星形をした仕掛けの突起部が岩石と岩石との間の隙間に挟まってしまうおそれがあった。一方、上記特許文献２に記載されたおもりは、おもり本体の形状がいずれも膨らみを有しているために、岩石などの隙間に落ち込んでしまうと、おもり本体の膨らみが岩角などに引っ掛かって隙間から引っ張り出すことができなかった。
【先行技術文献】
【特許文献】
【０００５】
【特許文献１】実用新案登録第３１４１６７１号公報
【特許文献２】特開平１１−２２５６３９号公報
【考案の概要】
【考案が解決しようとする課題】
【０００６】
そこで、本考案が解決しようとする課題は、湖沼や海などで釣りをする場合に、岩石や岩礁などの障害物におもりを引っ掛かりにくくすると共に、仮に引っ掛かってしまった場合でも容易に回収することのできる釣り用おもりを提供することにある。
【課題を解決するための手段】
【０００７】
上記の課題を解決するために、本考案に係る釣り用おもりは、両端に先細形状の先端部を有する細長い棒状体からなり、両端の先端部に貫通孔が設けられている。
【０００８】
また、本考案に係る釣り用おもりは、前記棒状体がステンレスや鉄、鉄の合金などの硬質金属であることが望ましい。また、前記棒状体の表面が切削加工による仕上面と同等又はそれ以上の平滑度を有することが望ましい。
【０００９】
また、本考案に係る釣り用おもりは、前記棒状体が単一部材又は２つ以上に分割された複数の棒状片からなる。分割されている場合は複数の棒状片は着脱可能に連結されて一本の細長い棒状体となる。
なお、本考案の棒状体には、円柱体は勿論のこと六角柱や八角柱体のような多角柱体も含まれる。
【考案の効果】
【００１０】
本考案に係る釣り用おもりは、両端に先細形状の先端部を有する細長い棒状体からなるので、おもりが岩石や岩礁などの障害物に引っ掛かりにくく、また堆積した障害物の隙間にも入りにくい。また、仮におもりが岩石や岩礁などの障害物に引っ掛かったり、堆積した岩石などの隙間に落ち込んだとしても、先端部が先細形状となっているので、一旦先端部が隙間に侵入すれば、あとは隙間を滑るようにしてすり抜けることができる。また、棒状体の両端の先端部に貫通孔が設けられているので、この貫通孔に道糸やハリスを容易に繋ぐことができる。
【図面の簡単な説明】
【００１１】
【図１】本考案の第１実施例に係る釣り用おもりを示す正面図である。
【図２】釣り用おもりを釣竿にセットした時の斜視図である。
【図３】釣り用おもりが水底の岩石の隙間に引き込まれた状態を示す説明図である。
【図４】釣り用おもりを水底の岩石の隙間から引き出す際の説明図である。
【図５】釣り用おもりが水底の岩石の隙間から引き出された状態を示す説明図である。
【図６】本考案の第２実施例に係る釣り用おもりを示す斜視図である。
【図７】釣り用おもりの先端部の一変形例を示す部分正面図である。
【図８】釣り用おもりの先端部の他の変形例を示す部分正面図である。
【考案を実施するための形態】
【００１２】
以下、添付図面に基づいて本考案に係る釣り用おもりの実施形態を詳細に説明する。
図１には本考案の第１実施形態に係る釣り用おもりが示されている。この釣り用おもり１は、両端に円錐形の先端部３ａ，３ｂを有する細長い円柱体２からなり、円柱体２はその表面が所定の平滑度を有する硬質金属からなる。円柱体２の全長は特に限定されないが、１０〜２０ｃｍ程度が好ましい。短すぎるとおもりとしての十分な重量や機能を確保することができず、長すぎると取り扱うのが不便となるからである。また、円柱体２の直径は、６〜１０ｍｍ程度が好ましい。長さに対して直径の比率が大きすぎると、先端部が岩と岩の間の隙間をすり抜けにくくなるからである。各先端部３ａ，３ｂは先細形状の円錐形となっているが、この円錐形の頂角αは概ね２０〜４５度程度が好ましい。おもりが岩の隙間に落ち込んだときに引き出し易いからである。また、先端部３ａ，３ｂの各先端１３ａ，１３ｂは丸みを持った形状になっており、岩角に当たった時の抵抗を小さくしている。
【００１３】
本考案の釣り用おもり１は、硬質金属を材料として作られるのが望ましい。障害物に引っ掛かったおもりを回収する際に変形するのを防ぐためである。岩角にぶつかった時や岩から圧力を受けたときに円柱体２が変形しない程度の硬度を有していることが望ましく、例えばビッカース硬度でHV１２０以上が望ましい。一定以上の硬度が確保されていれば材料は特に限定されないが、耐久性やコスト面、比重などからステンレス、鉄及び鉄の合金などが適当である。
【００１４】
本考案の釣り用おもり１の表面は所定の平滑度を有していることが望ましい。おもりが岩と岩との間の隙間を岩に当りながらすり抜ける際に、円柱体２の表面の接触抵抗を少なくしてすり抜け易くするためである。所定の平滑度とは、例えば金属表面を切削加工した時の仕上面と同等か、それ以上が好ましいが、鏡面仕上げまでを要求するものではない。所定の平滑度を数値で表すと、概ね２５−Ｓ（ＪＩＳ  Ｂ  ０６５９）以下が望ましい。
【００１５】
本考案の釣り用おもり１には円柱体２の両端の先端部３ａ，３ｂに円形の貫通孔４ａ，４ｂが設けられている。使用時には円柱体２の上下を問わないが、図２に示したように釣竿５にセットする場合には、例えば一方の先端部３ａをおもりの上側としてセットし、その貫通孔４ａに釣竿５の先端から延びる道糸６の一端がリング７ａとヨリモドシ７ｂなどの連結具を介して連結される。また、おもりの下側となる他方の先端部３ｂの貫通孔４ｂにはハリス８の一端がリング９ａとヨリモドシ９ｂなどの連結具を介して連結される。なお、前記連結具を介することなく道糸６を直接貫通孔４ａに通して繋いでもよい。
【００１６】
次に、上記の構成からなる釣り用おもり１の作用を図３乃至図５に基づいて説明する。ここでは海でカサゴなどの根魚釣りをする場合に、水底に堆積した岩石１０などの隙間１１にカサゴ１２と共に本考案の釣り用おもり１が引き込まれた場合を例にして説明する。特に岩石１０が堆積している所では岩石と岩石との間に多くの空間や隙間１１ができるために、カサゴ１２が集まり易い反面、おもりも引っ掛かり易く、また、空間や隙間１１におもりが落ち込み易い。
【００１７】
ところが、本考案の釣り用おもり１では、図４（ａ）に示したように、岩石１０の隙間１１に釣り用おもり１が落ち込んだとしても、円柱体２の上側の先端部３ａは円錐形の傾斜面にガイドされながら岩石１０の隙間１１に侵入する。そして、先端部３ａが隙間１１に侵入することで、あとは図４（ｂ）に示したように、円柱部２が岩石１０の隙間１１に導かれ、変形することなくそのまま真っ直ぐに岩石１０の隙間１１を滑るようにしてすり抜けることができ、図５に示したように、釣り用おもり１の回収と共にカサゴ１２も釣り上げることができる。円柱体２の上側の先端部３ａは円錐形の先細形状になっているので、岩石１０の隙間１１に先端が入り込み易く、また一旦先端が入り込んでしまえば、先端部３ａの円錐形の傾斜面にガイドされて円柱体２が隙間１１に侵入し、あとは隙間１１をスムーズにすり抜けることがする。さらに円柱体２の表面が所定の平滑度を有することで、岩石１０の粗くざらざらした岩肌でもスムーズにすり抜けることができる。
【００１８】
図６には本考案に係る釣り用おもりの第２実施形態が示されている。この釣り用おもり２１は、２つに分割された円柱片２２ａ，２２ｂによって一本の円柱体２２が構成されている以外は、前記第１実施形態に係る釣り用おもりと同様の構成からなるので、同一の構成要素には同一の符号を付すことによって、詳細な説明は省略する。
【００１９】
この実施形態では前記２つの円柱片２２ａ，２２ｂが着脱可能に連結されて一本の円柱体２２を構成しており、連結手段としては図６にもあるように、一方の円柱片２２ａに形成された雌ねじ部２３と、他方の円柱片２２ｂに形成され前記雌ねじ部２３にねじ込み可能な雄ねじ部２４とによる。なお、ねじ込み以外の連結手段であっても勿論構わない。また、この実施形態では円柱体２２を２分割した場合について説明したが、円柱体２２の長さに応じて３分割以上にすることも可能である。このように、円柱体２２を分割することによって、収納時の取扱いが容易となり利便性を高めることができる。
【００２０】
なお、上記いずれも実施形態も釣り用おもりの棒状体が円柱体である場合を例にして説明したが、本考案の棒状体は、六角柱や八角柱体のような多角柱体も含まれる。また、先端部の形状も棒状体が六角柱体であれば六角錐形、八角柱体であれば八角錐形となるように、棒状体の断面形状に対応した形となる。
【００２１】
また、先端部３ａ，３ｂの先細形状も前述したような円錐形や角錐形などの錐形に限られることなく、図７に示されるように、僅かな膨らみを持って先端に向かって先細形状となる先端部３ｃ，３ｄや、図８に示されるように、僅かに湾曲しながら先端に向かって先細形状となる先端部３ｅ，３ｆとして形成してもよい。
【符号の説明】
【００２２】
１  釣り用おもり
２  円柱体（棒状体）
３ａ，３ｂ  先端部
３ｃ，３ｄ  先端部
３ｅ，３ｆ  先端部
４ａ，４ｂ  貫通孔
５  釣竿
６  道糸
７ａ，９ａ  リング
７ｂ，９ｂ  ヨリモドシ
８  ハリス
１０  岩石
１１  隙間
１２  カサゴ
２１  釣り用おもり
２２  円柱体（棒状体）
２２ａ，２２ｂ  円柱片（棒状片）
２３  雌ねじ部
２４  雄ねじ部
【図１】
0003173892.tif 000003
【図２】
0003173892.tif 000004
【図３】
0003173892.tif 000005
【図４】
0003173892.tif 000006
【図５】
0003173892.tif 000007
【図６】
0003173892.tif 000008
【図７】
0003173892.tif 000009
【図８】
0003173892.tif 000010